(57)【特許請求の範囲】
【請求項１】
配電線の支持ピン碍子に取付けられる支持ピン碍子の地絡防止カバーであって、
半円筒状に湾曲した塩雪防止カバーとＬ形支持部とを有し、
前記Ｌ形支持部のＬ形の長手側の端部には、円形の支持ピン碍子取付部を有し、Ｌ形の短手側の端部には、前記塩雪防止カバーと同様に湾曲したカバー取付部を有し、
前記支持ピン碍子取付部は、前記支持ピン碍子に取付けられるための取付溝を有し、
前記カバー取付け部には、前記湾曲に合わせて前記塩雪防止カバーが取付けられて構成されることを特徴とする支持ピン碍子の地絡防止カバー。
【請求項２】
前記支持ピン碍子取付部の円形の直径は、前記支持ピン碍子の最大直径以下であり、前記Ｌ形支持部のＬ形の長手側の長さは、前記支持ピン碍子の頭部からの落雪が前記塩雪防止カバーと前記支持ピン碍子との間隔に着雪しない長さであることを特徴とする請求項１に記載の支持ピン碍子の地絡防止カバー。
【発明の詳細な説明】
【技術分野】
【０００１】
本発明は、配電線の支持ピン碍子の地絡を防止するカバーに係り、より詳しくは、海岸部の塩雪害による地絡を防止するための支持ピン碍子の地絡防止カバーに関する。
【背景技術】
【０００２】
日本海側の海岸部においては、冬季の強い季節風により発生する塩雪が、配電線路に使用されている支持ピン碍子に付着し地絡を生じるという、冬季特有の地絡事故の原因となっている。図４は、従来の支持ピン碍子の地絡を説明するための着雪説明図である。図４ａ、ｂにおいて、支持ピン碍子６０の腕金取付部６４が、腕金取付けナット８０により、腕金７０に固定されている。配電線９０は、固定バンド（図示せず）により、支持ピン碍子６０の碍子部６２の上部に取付けられている。
【０００３】
塩雪吹き付け方向矢印Ａの方向から、季節風によって塩分を含んだ雪が吹き付けられると、その塩雪４０は、斜線で示すように、取付けられた配電線９０を含め支持ピン碍子６０を覆うように着雪する。腕金取付部６４と腕金７０とは共に金属であるため、導電性を有する塩雪４０を介して、地絡方向矢印Ｂで示されるように、配電線９０から腕金取付部６４へと地絡電流が流れ、さらに、腕金７０を介し、地面へと流れ、地絡事故を生じる。
【発明の概要】
【発明が解決しようとする課題】
【０００４】
本発明は、このような問題を解決するためになされたものであり、その目的は、海岸部の配電線の塩雪害による地絡を防止するための支持ピン碍子の地絡防止カバーを提供する。
【課題を解決するための手段】
【０００５】
本発明の支持ピン碍子の地絡防止カバーは、配電線の支持ピン碍子に取付けられる支持ピン碍子の地絡防止カバーであって、半円筒状に湾曲した塩雪防止カバーとＬ形支持部とを有し、Ｌ形支持部のＬ形の長手側の端部には、円形の支持ピン碍子取付部を有し、Ｌ形の短手側の端部には、塩雪防止カバーと同様に湾曲したカバー取付部を有し、支持ピン碍子取付部は、支持ピン碍子に取付けられるための取付溝を有し、カバー取付部には、湾曲に合わせて塩雪防止カバーが取付けられて構成されることを特徴とする。
【０００６】
本発明の支持ピン碍子の地絡防止カバーの支持ピン碍子取付部の円形の直径は、支持ピン碍子の最大直径以下であり、Ｌ形支持部のＬ形の長手側の長さは、支持ピン碍子の頭部からの落雪が塩雪防止カバーと支持ピン碍子との間隔に着雪しない長さであることを特徴とする。
【発明の効果】
【０００７】
本発明によれば、海岸部の配電線の塩雪害による地絡を防止するための支持ピン碍子の地絡防止カバーを提供することができる。
【図面の簡単な説明】
【０００８】
【図１】本発明による支持ピン碍子の地絡防止カバーの構成図。
【図２】本発明の支持ピン碍子の地絡防止カバーの取付け説明図。
【図３】本発明による支持ピン碍子の着雪説明図。
【図４】従来の支持ピン碍子の着雪説明図。
【発明を実施するための形態】
【実施例】
【０００９】
本発明の実施の形態について、図を用いて説明する。図１は、本発明による支持ピン碍子の地絡防止カバーの構成図である。図１において、本発明の支持ピン碍子の地絡防止カバー１００は、半円筒状に湾曲した塩雪防止カバー５０とＬ形支持部１０とを有している。Ｌ形支持部１０のＬ形の長手側の端部には、円形の支持ピン碍子取付部２０を有している。また、Ｌ形の短手側の端部には、塩雪防止カバー５０と同様に湾曲したカバー取付部３０を有している。支持ピン碍子取付部２０は、支持ピン碍子６０に取付けられるための取付溝２５を有している。カバー取付部３０には、湾曲に合わせて塩雪防止カバー５０が取付けられている。
【００１０】
支持ピン碍子取付部２０の円形の直径ｒは、支持ピン碍子６０の最大直径Ｒ（図２ａ−１参照）以下となっている。Ｌ形支持部１０のＬ形の長手側の長さｌは、支持ピン碍子６０の頭部からの落雪が、塩雪防止カバー５０と支持ピン碍子６０との間隔に着雪しない長さとなっている。これにより、支持ピン碍子６０の頭部からの落雪が、支持ピン碍子取付部２０に着雪すること、および塩雪防止カバー５０と支持ピン碍子６０との間隔に着雪することを防止することができる。
【００１１】
塩雪防止カバー５０の材質は、難燃性のシリコーンゴム又は磁器などの絶縁材であることが望ましい。また、Ｌ形支持部１０、支持ピン碍子取付部２０、及びカバー取付部３０の材質は、絶縁材であることが望ましいが、季節風に耐える強度を有することが必要であり、金属であることも可能である。また、半円筒状に湾曲した塩雪防止カバー５０の円弧を半円以下とすることにより、カバーが支持ピン碍子６０を必要以上に覆い隠すことが無いため、支持ピン碍子と地絡防止カバー１００との着雪状態を外部から容易に点検することが可能となる。
【００１２】
図２は、本発明の支持ピン碍子の地絡防止カバーの取付け説明図である。図２ａ−１、ａ−２において、支持ピン碍子６０は、図４において説明したとおり、腕金取付けナット８０により、腕金７０に固定されている。図２ｂ−１、ｂ−２において、始めに、腕金取付ナット８０を緩め、支持ピン碍子６０を持ち上げる。つぎに、支持ピン碍子取付部２０の取付溝２５を、支持ピン碍子６０と腕金７０との間に挟みこむ。つぎに、塩雪防止カバー５０を塩雪が吹き付ける風向に向ける。その後、腕金取付ナット８０を締め付けて、取付作業を完了する。
【００１３】
図３は、本発明による支持ピン碍子の着雪説明図である。図４の場合と同様に、塩雪吹き付け方向矢印Ａの方向から、季節風によって塩分を含んだ雪が吹き付けられると、その塩雪４０は、斜線で示すように、取付けられた配電線９０を含め支持ピン碍子６０の頭部と、塩雪防止カバー５０とに分かれて着雪する。このため、腕金取付部６４と腕金７０とを短絡させる導電性を有する塩雪４０のブリッジが形成されることはない。また、図１において説明したとおり、支持ピン碍子６０の頭部からの落雪が支持ピン碍子取付部２０に着雪すること、および塩雪防止カバー５０と支持ピン碍子６０との間隔に着雪することが防止される。これらのことから、塩雪の着雪による短絡事故を確実に防止することができる。
【００１４】
以上説明したように本発明によれば、海岸部の配電線の塩雪害による地絡を防止するための支持ピン碍子の地絡防止カバーを提供することができる。
【符号の説明】
【００１５】
１０  Ｌ形支持部
２０  支持ピン碍子取付部
２５  取付溝
３０  カバー取付部
４０  塩雪
５０  塩雪防止カバー
６０  支持ピン碍子
６２  碍子部
６４  腕金取付部
７０  腕金
８０  腕金取付ナット
９０  配電線
１００  支持ピン碍子の地絡防止カバー
Ａ  塩雪吹き付け方向矢印
Ｂ  地絡方向矢印
Ｒ  支持ピン碍子の最大直径
ｒ  支持ピン碍子取付部の円形の直径
ｌ  Ｌ形支持部のＬ形の長手側の長さ
【図１】
0005649001.tif 000002
【図２】
0005649001.tif 000003
【図３】
0005649001.tif 000004
【図４】
0005649001.tif 000005